(57)【要約】【課題】押下式液体吐出容器が置かれる環境温度の低下により液体の粘度が高くなっても、適量の液体を吐出するのに要する指による押圧力が高くなるのを抑制する。【解決手段】ポンプ部１４のレバー部１８を、その他端部１８ｂが下方に移動するように一端部１８ａを中心に回動させたときに、その下面において作動部材１２の上端面に対向する部分に下方に向けて突設された押圧部１８ｃによりこの作動部材１２を下方に向けて押圧することによってノズル１３から容器本体１１内の液体を吐出させる吐出補助具１９が設けられ、支持部１７は、この押下式吐出容器１０の周方向位置においてノズル１３が開口する位置に配置され、レバー部１８は、その他端部１８ｂが、支持部１７に取り付けられた一端部１８ａに対してこの押下式液体吐出容器１０の中心軸線Ｏを挟んでその径方向で対向する位置に配置されるように延在している。【選択図】図１
2007297083.tif 000002
【特許請求の範囲】
【請求項１】
内部に液体が充填される容器本体と、この容器本体内から上方付勢されて起立する作動部材を上下動させることにより、容器本体内の液体を前記作動部材のノズルから吐出可能なポンプ部とを備える押下式液体吐出容器であって、
前記ポンプ部には、容器本体の上端部側から上方に向けて起立する支持部と、この支持部に一端部が取り付けられて、この一端部を中心に他端部側が上下動するように回動可能に設けられたレバー部とを備える吐出補助具が設けられ、この吐出補助具は、レバー部を前記他端部側が下方に移動するように回動させたときに、その下面において前記作動部材の上端面と対向する部分に下方に向けて突設された押圧部によりこの作動部材を下方に向けて押圧することによってノズルから容器本体内の液体を吐出させる構成とされ、
前記支持部は、この押下式吐出容器の周方向位置において前記ノズルが開口する位置に配置され、前記レバー部は、前記他端部が、支持部に取り付けられた前記一端部に対してこの押下式液体吐出容器の中心軸線を挟んでその径方向で対向する位置に配置されるように延在していることを特徴とする押下式液体吐出容器。
【請求項２】
請求項１記載の押下式液体吐出容器において、
前記吐出補助具は前記ポンプ部に対して着脱可能とされていることを特徴とする押下式液体吐出容器。
【発明の詳細な説明】
【技術分野】
【０００１】
本発明は押下式液体吐出容器に関するものである。
【背景技術】
【０００２】
この種の容器として、例えば下記特許文献１に示されるような、内部に液体が充填される容器本体と、この容器本体内から上方付勢されて起立する作動部材を上下動させることにより、容器本体内の液体を前記作動部材のノズルから吐出可能なポンプ部とを備える構成が知られている。
【特許文献１】実用新案登録第２５６６６８１号公報
【発明の開示】
【発明が解決しようとする課題】
【０００３】
しかしながら、従来の押下式液体吐出容器では、この容器が置かれる環境温度が低いと、この容器本体内に充填された液体の粘度が高くなり、作動部材を指で強く押圧しなければノズルから適量の液体を吐出させることができなくなるという問題があった。このような問題を解決するために、例えば、作動部材に対する上方付勢力を低減することが考えられるが、この場合、液体を吐出させた後、作動部材への押圧力を解除したときに、この作動部材が上方に復元移動し難くなるおそれがあり、あるいはこれに代えて、作動部材の内部において、容器本体内からノズルに至る液体の流路断面積を大きくして、この液体の流動抵抗を低減することが考えられるが、この場合、押下式液体吐出容器が置かれる環境温度が高くなり液体の粘度が低下すると、作動部材を押圧したときに大量の液体が吐出されるおそれがある。
【０００４】
本発明は、このような事情を考慮してなされたもので、押下式液体吐出容器が置かれる環境温度の低下により液体の粘度が高くなっても、適量の液体を吐出するのに要する指による押圧力が高くなるのを抑制することができる押下式液体吐出容器を提供することを目的とする。
【課題を解決するための手段】
【０００５】
このような課題を解決して、前記目的を達成するために、本発明の押下式液体吐出容器は、内部に液体が充填される容器本体と、この容器本体内から上方付勢されて起立する作動部材を上下動させることにより、容器本体内の液体を前記作動部材のノズルから吐出可能なポンプ部とを備える押下式液体吐出容器であって、前記ポンプ部には、容器本体の上端部側から上方に向けて起立する支持部と、この支持部に一端部が取り付けられて、この一端部を中心に他端部側が上下動するように回動可能に設けられたレバー部とを備える吐出補助具が設けられ、この吐出補助具は、レバー部を前記他端部側が下方に移動するように回動させたときに、その下面において前記作動部材の上端面と対向する部分に下方に向けて突設された押圧部によりこの作動部材を下方に向けて押圧することによってノズルから容器本体内の液体を吐出させる構成とされ、前記支持部は、この押下式吐出容器の周方向位置において前記ノズルが開口する位置に配置され、前記レバー部は、前記他端部が、支持部に取り付けられた前記一端部に対してこの押下式液体吐出容器の中心軸線を挟んでその径方向で対向する位置に配置されるように延在していることを特徴とする。
この発明によれば、前記吐出補助具が備えられているので、レバー部の他端部側の上面を指で下方に向けて押圧し、このレバー部を、その一端部を中心に他端部側が下方に移動するように回動させて、これらの一端部と他端部との間に位置する前記押圧部で作動部材の上端面を押圧することによって、ノズルから容器本体内の液体を吐出することが可能になり、指で作動部材の上端面を直接押圧してノズルから液体を吐出させるのに比べて、指による押圧力を低減させることができる。したがって、押下式液体吐出容器が置かれる環境温度の低下により液体の粘度が高くなっても、適量の液体を吐出するのに要する指による押圧力が高くなるのを抑制することができる。
さらに、支持部が、この押下式吐出容器の周方向位置においてノズルが開口する位置に配置され、レバー部が、前記他端部が、支持部に取り付けられた前記一端部に対して前記中心軸線を挟んでその径方向で対向する位置に配置されるように延在しているので、ノズルから液体を吐出する際に指で押圧するレバー部の他端部側の上面が、ノズルが開口している周方向位置に対して前記中心軸線を挟んでこの押下式液体吐出容器の径方向で対向する位置に配置されていることになり、レバー部を前記回動させてノズルから液体を吐出したときに、この液体が、レバー部の他端部側の上面を押圧している指に付着するのを防ぐことができる。
【０００６】
ここで、前記吐出補助具は前記ポンプ部に対して着脱可能とされてもよい。
この場合、吐出補助具をポンプ部に装着するか否かを需要者が選択することが可能になり、この容器の取り扱い性を向上させることができる。
【発明の効果】
【０００７】
本発明に係る押下式液体吐出容器によれば、押下式液体吐出容器が置かれる環境温度の低下により液体の粘度が高くなっても、適量の液体を吐出するのに要する指による押圧力が高くなるのを抑制することができる。
また、吐出補助具がポンプ部に対して着脱可能とされた場合には、吐出補助具をポンプ部に装着するか否かを需要者が選択することが可能になり、この容器の取り扱い性を向上させることができる。
【発明を実施するための最良の形態】
【０００８】
以下、図面を参照し、この発明の実施の形態について説明する。図１から図３は、この発明の第１実施形態として示した押下式液体吐出容器の概略構成を示すものである。
本実施形態の押下式液体吐出容器１０は、内部に液体が充填される容器本体１１と、この容器本体１１内から上方付勢されて起立する作動部材１２を上下動させることにより、容器本体１１内の液体を作動部材１２のノズル１３から吐出可能なポンプ部１４とを備えている。なお、作動部材１２は、容器本体１１の上部内面部に嵌合されたシリンダ部材１２ｂと、このシリンダ部材１２ｂの上部内面に上下摺動可能に嵌め込まれた図示されない筒状ピストンと、この筒状ピストンから起立したステム１２ｃと、このステム１２ｃの上端に圧縮ばね１５により上方に付勢された状態で装着されたヘッド部１２ａとを備えている。
【０００９】
図示の例では、ノズル１３は、ヘッド部１２ａの外周面にその径方向外方に向けて突設されている。また、ポンプ部１４には、作動部材１２を容器本体１１に取り付ける取り付け部材１４ｃが備えられ、この取り付け部材１４ｃは、平面視円形の平板部１４ａと、この平板部１４ａの下面に垂設されるとともに、平板部１４ａよりも小径の筒部材１４ｄとを備え、この筒部材１４ｄの内周面に雌ねじ部が形成されている。ここで、作動部材１２は、平板部１４ａにおいて、筒部材１４ｄと同軸上で、かつこの筒部材１４ｄの径方向内側に位置する部分に貫設され、この作動部材１２のうち平板部１４ａの上面から突出するヘッド部１２ａが、作動部材１２の内部に設けられた圧縮ばね１５により、平板部１４ａに対して上方付勢されている。
【００１０】
そして、ポンプ部１４は、筒部材１４ｄの雌ねじ部が容器本体１１の上端開口部に形成された雄ねじ部に螺合した状態で、作動部材１２のうち平板部１４ａの下面から下方に突出したシリンダ部材１２ｂが容器本体１１内に配置されるようになっている。さらに、容器本体１１の下部内面には、この容器本体１１内の負圧化により上昇摺動可能に嵌合された中皿１６が設けられている。
【００１１】
以上の構成において、圧縮ばね１５の弾性力に抗して作動部材１２のヘッド部１２ａを押し下げたときに、作動部材１２内に設けられた図示されないシリンダ内の内容物が加圧されて、この内容物がノズル１３から吐出されるようになっている。そして、この押し下げを解除すると、圧縮ばね１５の弾性力により作動部材１２のヘッド部１２ａが上方に復元移動し、かつ前記シリンダ内が負圧化し、中皿１６が容器本体１１の内部を上昇摺動して内容物がこのシリンダ内に吸い上げられるようになっている。
【００１２】
そして、本実施形態では、ポンプ部１４には、容器本体１１の上端部側から上方に向けて起立する支持部１７と、この支持部１７の上端部に一端部１８ａが取り付けられて、この一端部１８ａを中心に他端部１８ｂ側が上下動するように回動可能に設けられたレバー部１８とを備える吐出補助具１９が設けられている。この吐出補助具１９は、レバー部１８を、前記他端部１８ｂ側が下方に移動するように回動させたときに、その下面において作動部材１２の上端面に対向する部分に下方に向けて突設された押圧部１８ｃによりこの作動部材１２を下方に向けて押圧することによってノズル１３から容器本体１１内の液体を吐出させるようになっている。
また、支持部１７は、この押下式吐出容器１０の周方向位置においてノズル１３が開口する位置に配置され、レバー部１８は、その他端部１８ｂが、支持部１７に取り付けられた一端部１８ａに対してこの押下式液体吐出容器１０の中心軸線Ｏを挟んでその径方向で対向する位置に配置されるように延在している。
【００１３】
なお、押下式液体吐出容器１０の中心軸線Ｏは、容器本体１１、および作動部材１２のヘッド部１２ａそれぞれの径方向に直交し、かつこの径方向の中央部を通る直線とされている。
また、本実施形態では、支持部１７は、平板部１４ａの上面のうち、この押下式吐出容器１０の周方向位置においてノズル１３が開口する位置に、この平板部１４ａを形成する材質と同一の材料により一体的に形成されて立設されており、これにより、前記のように筒部材１４ｄの雌ねじ部と、容器本体１１の上端開口部に形成された雄ねじ部とを螺合したときに、支持部１７が容器本体１１の上端部側から上方に向けて起立させられる。
【００１４】
図示の例では、レバー部１８の前記延在する長さは、容器本体１１の胴部の外径と略同等とされ、この長さ方向中央部に押圧部１８ｃが設けられている。この押圧部１８ｃは、レバー部１８の下面から下方に向かうに従い漸次縮径されるとともに、その下端部が、下方に向けて凸の曲面形状とされている。ここで、レバー部１８は、前記延在する方向に延びる平面視長方形とされた押下板１８ｄと、この押下板１８ｄの前記一端部１８ａ側の端部における両側部から下方に向けて垂設された平板状の一対の脚部１８ｅとを備えている。なお、押下板１８ｄの上面において前記他端部１８ｂ側に位置する部分には、この押下板１８ｄの幅方向（前記延在した方向に直交する方向）に延びる突条１８ｇが複数形成されており、レバー部１８の押下板１８ｄの上面を指で押圧したときに、この指が押下板１８ｄの上面に対して滑り難くなっている。
【００１５】
また、支持部１７は、ノズル１３をその径方向で挟み込むように平板部１４ａの上面に立設された一対の柱部と、これらの柱部をつなぐように平板部１４ａの上面に立設された壁部とを備え、この壁部には、その上端および厚さ方向に貫通し、かつ前記中心軸線Ｏ方向に延びる第１長穴１７ａが形成されている。そして、これらの柱部の上端部にそれぞれ設けられたピンが、レバー部１８の脚部１８ｅ、１８ｅに形成された各貫通孔に挿入されることによって、前記のように、レバー部１８が支持部１７に回動可能に支持されている。
【００１６】
さらに、押下板１８ｄの前記一端部１８ａ側の端部には、第１長穴１７ａのうち支持部１７の前記壁部の上端に開口する部分と対向するように、この端面に開口し、かつ前記他端部１８ｂ側に向けて延びる第２長穴１８ｆが形成されている。これらの第１、第２長穴１７ａ、１８ｆにより、レバー部１８を、一端部１８ａを中心に他端部１８ｂが下方に向けて移動するように回動させるか否かにかかわらず、ノズル１３やヘッド部１２ａが支持部１７およびレバー部１８に干渉しないようになっている。
【００１７】
以上説明したように、本実施形態による押下式液体吐出容器１０によれば、吐出補助具１９が備えられているので、レバー部１８の他端部１８ｂ側の上面を指で下方に向けて押圧し、このレバー部１８を、その一端部１８ａを中心に他端部１８ｂ側が下方に移動するように回動させて、これらの一端部１８ａと他端部１８ｂとの間に位置する押圧部１８ｃで作動部材１２の上端面を押圧することによって、ノズル１３から容器本体１１内の液体を吐出することが可能になり、指で作動部材１２の上端面を直接押圧してノズル１３から液体を吐出させるのに比べて、指による押圧力を低減させることができる。したがって、押下式液体吐出容器１０が置かれる環境温度の低下により液体の粘度が高くなっても、適量の液体を吐出するのに要する指による押圧力が高くなるのを抑制することができる。
【００１８】
さらに、本実施形態では、支持部１７がこの押下式吐出容器１０の周方向位置においてノズル１３が開口する位置に配置され、レバー部１８が、その他端部１８ｂが、支持部１７に取り付けられた一端部１８ａに対して前記中心軸線Ｏを挟んでその径方向で対向する位置に配置されるように延在しているので、ノズル１３から液体を吐出する際に指で押圧するレバー部１８の他端部１８ｂ側が、ノズル１３が開口している周方向位置に対して前記中心軸線Ｏを挟んでこの押下式液体吐出容器１０の径方向で対向する位置に配置されていることになり、レバー部１８を前記回動させてノズル１３から液体を吐出したときに、この液体が、レバー部１８の他端部１８ｂ側の上面を押圧している指に付着するのを防ぐことができる。
【００１９】
なお、本発明の技術的範囲は前記実施の形態に限定されるものではなく、本発明の趣旨を逸脱しない範囲において種々の変更を加えることが可能である。
前記実施形態では、ポンプ部１４の平板部１４ａの上面に、吐出補助具１９の支持部１７が一体的に形成された構成を示したが、これに代えて、ポンプ部１４に対して吐出補助具１９を着脱可能に設けるようにしてもよい。この場合、吐出補助具１９をポンプ部１４に装着するか否かを需要者が選択することが可能になり、この容器１０の取り扱い性を向上させることができる。
【００２０】
このような構成として、例えば図４および図５に示されるように、ポンプ部１４に平板部１４ａを設けずに、内周面に雌ねじ部２２ａが形成されたキャップ状体２２に、作動部材１２を回転自在に挿入してポンプ部１４を構成する一方、このポンプ部１４とは別体のリング状体２１の外周部に、その中心軸線方向に延びる支持部１７を立設し、この支持部１７に前記実施形態と同様にしてレバー部１８を取り付けるようにしてもよい。なお、ポンプ部１４において、作動部材１２のヘッド部１２ａを、キャップ状体２２の天板部２２ｂの上面から上方に突出させる。ここで、リング状体２１の内径部は、その上面側２１ａが下面側２１ｂよりも内径が大きくされ、下面側２１ｂの内径は、容器本体１１の雄ねじ部１１ａの外径よりも大きく、かつキャップ状体２２の外径よりも小さくされ、前記上面側２１ａの半径と前記下面側２１ｂの半径との差が、キャップ状体２２の開放端部におけるその径方向の肉厚と略同等とされている。
【００２１】
これにより、図４および図５に示されるように、リング状体２１を前記下面側２１ｂから容器本体１１の雄ねじ部１１ａに挿入した状態で、作動部材１２に設けられたキャップ状体２２の雌ねじ部２２ａと雄ねじ部１１ａとを螺合すると、キャップ状体２２の開放端面と容器本体１１の上端部との間に、リング状体２１の内径部において上面側２１ａと下面側２１ｂとの間に位置する段部２１ｃが挟み込まれて締め付けられることによって、容器本体１１とポンプ部１４と吐出補助具１９とが組付けられるような構成を採用することができる。
【００２２】
また、前記実施形態では、押下式液体吐出容器として、いわゆる中皿上昇式吐出容器を示したが、これに代えて、例えば、スクイズ変形可能で復元自在な可撓性を有する外層の内側に、内容物を収容し、かつ内圧の減少によりしぼみ変形する可撓性に富む内層を剥離可能に積層して、壜体状にブロー成形された容器本体を備えるとともに、外層における前記口部の形成部分に、外層と内層との間に外気を吸入する空気孔が形成された積層剥離ボトルに採用してもよいし、あるいは中皿上昇式ではない一般の吐出ポンプ付きの容器に採用してもよい。
【産業上の利用可能性】
【００２３】
押下式液体吐出容器が置かれる環境温度の低下により液体の粘度が高くなっても、適量の液体を吐出するのに要する指による押圧力が高くなるのを抑制することができる。
【図面の簡単な説明】
【００２４】
【図１】本発明の第１実施形態として示した押下式液体吐出容器の半断面図である。
【図２】図１に示す押下式液体吐出容器において、レバー部を回動させて押圧部により作動部材の上端面を押圧している状態の一部を示すものである。
【図３】図１に示す押下式液体吐出容器の上面図である。
【図４】本発明の第２実施形態として示した押下式液体吐出容器を組立てる状態を示すものである。
【図５】本発明の第２実施形態として示した押下式液体吐出容器の一部半断面図である。
【符号の説明】
【００２５】
１０  押下式液体吐出容器
１１  容器本体
１２  作動部材
１３  ノズル
１４  ポンプ部
１７  支持部
１８  レバー部
１８ａ  一端部
１８ｂ  他端部
１８ｃ  押圧部
１９  吐出補助具
Ｏ  中心軸線
【図１】
2007297083.tif 000003
【図２】
2007297083.tif 000004
【図３】
2007297083.tif 000005
【図４】
2007297083.tif 000006
【図５】
2007297083.tif 000007